(57)【要約】      （修正有）【課題】外壁の補修に於いて、工期の短縮、施工コストの低減を図る外壁補修方法を提供する。【解決手段】鉛直方向に延びる胴縁４が水平方向に所定の間隔で設けられ、該胴縁４に外壁パネル５が設けられた構造を有する外壁の外壁補修方法であって、前記外壁パネル５の外面に鋼板パネル１１を設け、該鋼板パネル１１を前記外壁パネル５を貫通させたボルト１２によって前記胴縁に固定し、前記鋼板パネル１１により既存の外壁パネル５の外面に新規鋼板パネル壁１３を形成する。【選択図】図１
2009270287.tif 000002
【特許請求の範囲】
【請求項１】
鉛直方向に延びる胴縁が水平方向に所定の間隔で設けられ、該胴縁に外壁パネルが設けられた構造を有する外壁の外壁補修方法であって、前記外壁パネルの外面に鋼板パネルを設け、該鋼板パネルを前記外壁パネルを貫通させたボルトによって前記胴縁に固定し、前記鋼板パネルにより既存の外壁パネルの外面に新規鋼板パネル壁を形成することを特徴とする外壁補修方法。
【請求項２】
前記鋼板パネルは横長の姿勢で取付けられる請求項１の外壁補修方法。
【請求項３】
既存の外壁の上端部、前記新規鋼板パネル壁の上端部を覆う様に、笠木カバーが取付けられる請求項１の外壁補修方法。
【発明の詳細な説明】
【技術分野】
【０００１】
本発明は、立体駐車装置、或は倉庫等の建造物の外壁補修方法、特に既設の建造物に新規に外壁を追加施工する場合の外壁補修方法に関するものである。
【背景技術】
【０００２】
先ず、立体駐車装置、或は倉庫等の建造物の外壁の構造について図３〜図６により説明する。
【０００３】
図３は立体駐車装置１の外観を示し、図４は図３のＢ矢視図を示し、図５は外壁の一部拡大図、図６は図５のＣ−Ｃ矢視図をそれぞれ示している。
【０００４】
図４中、２は型鋼からなる縦構造部材であり、該縦構造部材２は水平方向に所要の間隔で立設され、又、該縦構造部材２，２間には上下方向に所要の間隔で型鋼からなる水平構造部材３が設けられ壁部鉄骨が構成される。前記縦構造部材２、前記水平構造部材３には鉛直方向に延びる胴縁４が水平方向に所定の間隔で取付けられている。
【０００５】
該胴縁４には外壁パネル５がステンレス製の螺子６により固定される。前記外壁パネル５は、芯材を表裏面に石綿スレートで挾んで成形したサンドイッチパネルであり、前記胴縁４は前記外壁パネル５が取付けられる様、該外壁パネル５の取付けピッチに合わせて前記胴縁４，４の間隔が設定されている。
【０００６】
又、前記外壁パネル５，５間に生じる隙間（目地）には、防水の為にコーキング材１６が充填されている（図６参照）。
【０００７】
尚、図４中、７は天井部の梁として設けられた型鋼であり、８はルーフデッキ、９は外壁の上端部に設けられた笠木、１０は水切りである。
【０００８】
上記した様に、前記外壁パネル５，５間の目地には、防水の為にコーキング材１６が充填されているが、該コーキング材１６は経時的に硬化してひび割れし、防水効果が低下する。前記コーキング材１６のひびから水が漏水すると、前記外壁パネル５に浸透し、該外壁パネル５がひび割れし、交換が必要となる場合もある。前記外壁パネル５の交換は、大掛りな改修工事となり、工期が掛ると共に費用が掛る。この為、前記コーキング材１６の劣化に伴い所定期間経過後、補修する必要がある。
【０００９】
従来の補修方法としては、硬化したコーキング材１６を除去して、新たにコーキング材１６を充填する方法があるが、コーキング材１６の寿命が７年〜８年と短く、やはり補修コストが大きい。
【００１０】
【特許文献１】特開昭６１−１３０５４８号公報
【発明の開示】
【発明が解決しようとする課題】
【００１１】
本発明は斯かる実情に鑑み、コーキング材の劣化に伴う補修工事で、劣化の対象となるコーキング材を使用することなく、又補修間隔を長くし、又外壁パネルの延命を図る外壁補修方法を提供するものである。
【課題を解決するための手段】
【００１２】
本発明は、鉛直方向に延びる胴縁が水平方向に所定の間隔で設けられ、該胴縁に外壁パネルが設けられた構造を有する外壁の外壁補修方法であって、前記外壁パネルの外面に鋼板パネルを設け、該鋼板パネルを前記外壁パネルを貫通させたボルトによって前記胴縁に固定し、前記鋼板パネルにより既存の外壁パネルの外面に新規鋼板パネル壁を形成する外壁補修方法に係り、又前記鋼板パネルは横長の姿勢で取付けられる外壁補修方法に係り、更に又既存の外壁の上端部、前記新規鋼板パネル壁の上端部を覆う様に、笠木カバーが取付けられる外壁補修方法に係るものである。
【発明の効果】
【００１３】
本発明によれば、鉛直方向に延びる胴縁が水平方向に所定の間隔で設けられ、該胴縁に外壁パネルが設けられた構造を有する外壁の外壁補修方法であって、前記外壁パネルの外面に鋼板パネルを設け、該鋼板パネルを前記外壁パネルを貫通させたボルトによって前記胴縁に固定し、前記鋼板パネルにより既存の外壁パネルの外面に新規鋼板パネル壁を形成するので、既存の外壁パネルの目地を修復する必要がなく、又既存の壁を加工、取替えの必要がなく、鋼板パネルを設ける為の部材を別途取付ける必要がないので、短い工期で、而も低コストで施工でき、又外壁の寿命を延長できると共に外観の向上が図れるという優れた効果を発揮する。
【発明を実施するための最良の形態】
【００１４】
以下、図面を参照しつつ本発明を実施する為の最良の形態を説明する。
【００１５】
本発明では、既存の外壁パネルを取外すことなく、該外壁パネルの表面に防錆処理した鋼板を取付け、新規の外壁を形成するものである。
【００１６】
図１中、図４中で示したものと同等のものには同符号を付してある。
【００１７】
縦構造部材２には外壁パネル５を取付ける為の胴縁４が取付けられ、該胴縁４に前記外壁パネル５が螺子により固定され、該外壁パネル５，５間の目地には防水の為のコーキング処理がされている。
【００１８】
コーキング材１６が劣化し、補修が必要となった場合に本発明が実施され、既存の外壁に対して、前記外壁パネル５の取外し、或は該外壁パネル５の交換等をすることなく既存の外壁パネル５の外側から、鋼板パネル１１が取付けられる。
【００１９】
該鋼板パネル１１は断面が、矩形波、台形波等の波状となる様に加工されたものであり、例えば幅（波と直交する方向）が０．７５ｍ、長さ（波と平行な方向）が５ｍであり、表面には亜鉛メッキをし、更に塗装したものである。尚、前記鋼板パネル１１の長さは、搬送可能な、或は搬入可能な長さとなっている。前記鋼板パネル１１は、防錆性に優れ、寿命としては、コーキング材の約７〜８年に対して約２５年となっている。
【００２０】
前記鋼板パネル１１の姿勢を横長（波が水平となる方向）とし、上端部、下端部、両端部をそれぞれ臨接する鋼板パネル１１とそれぞれ所要量オーバラップさせ、前記外壁パネル５の外面を覆う様に取付ける。
【００２１】
前記鋼板パネル１１の固定は、該鋼板パネル１１の波形状の底部がボルト１２によって固定され、該ボルト１２は前記外壁パネル５を貫通し、前記胴縁４に螺着する。前記ボルト１２としては、好ましくは、ステンレス製のタッピング螺子が使用される。前記鋼板パネル１１を既存の前記胴縁４に固定することから、前記鋼板パネル１１を取付ける為の部材を別途設ける必要がない。
【００２２】
前記鋼板パネル１１を既存の外壁の外面に取付けることで、新規に鋼板外壁１３が構成される。
【００２３】
次に、前記鋼板外壁１３上端部の施工について説明する。
【００２４】
前記鋼板外壁１３の上端部には、既存の笠木９を収納する様に笠木カバー１４が設けられる。該笠木カバー１４は断面が略コの字状であり、外面の下端部が前記鋼板外壁１３の上端部と重複する様に形成され、内面は前記笠木９の内面より更に下方に延び下端部が鉤状となっている。
【００２５】
前記笠木カバー１４の表面下端部はタッピング螺子１５により前記外壁パネル５を貫通して前記胴縁４に固定される。前記笠木カバー１４は、雨水が前記鋼板パネル１１と前記外壁パネル５との間に浸入することを防止する。
【００２６】
本発明によって外壁の補修を実施することで、既存の外壁が新規の前記鋼板外壁１３によって覆われ、外観が一新して意匠性が向上する。
【００２７】
前記鋼板外壁１３の施工に於いて、コーキング材を使用しないので、前記鋼板外壁１３の寿命は前記鋼板パネル１１自体の寿命となり、該鋼板パネル１１の寿命は上記した様に、２５年と長く、略補修の必要がなくなる。又、前記外壁パネル５を前記鋼板パネル１１で覆うことで、前記外壁パネル５の劣化を防止でき、該外壁パネル５の寿命を大幅に延長させることができる。
【図面の簡単な説明】
【００２８】
【図１】本発明の外壁補修方法が実施された外壁の上端部を示す断面図である。
【図２】図１のＡ矢視図である。
【図３】本発明が実施される立体駐車場を示す外観図である。
【図４】外壁補修がされていない外壁の上端部を示し、図３のＢ矢視図である。
【図５】外壁補修がされていない外壁の一部を示す正面図である。
【図６】図５のＣ−Ｃ矢視図である。
【符号の説明】
【００２９】
１              立体駐車装置
２              縦構造部材
３              水平構造部材
４              胴縁
５              外壁パネル
７              型鋼
８              ルーフデッキ
９              笠木
１０            水切り
１１            鋼板パネル
１２            ボルト
１３            鋼板外壁
１４            笠木カバー
【図１】
2009270287.tif 000003
【図２】
2009270287.tif 000004
【図３】
2009270287.tif 000005
【図４】
2009270287.tif 000006
【図５】
2009270287.tif 000007
【図６】
2009270287.tif 000008